【事件の表示】
　特願２０１６−　２０４５３「遊技台」拒絶査定不服審判事件〔平成２８年　６月２０日出願公開、特開２０１６−１０７１１８〕について、次のとおり審決する。
【結　論】
　本件審判の請求は、成り立たない。
【理　由】
第１　手続の経緯
　本願は、平成２５年１０月４日に特許出願された特願２０１３−２０９２０５号の一部を平成２８年２月５日に新たに特許出願したものであって、平成２８年９月３０日付けで拒絶理由通知がなされ、平成２８年１２月１日付けで意見書及び手続補正書が提出され、平成２９年５月１６日付け（発送日：平成２９年５月２３日）で拒絶査定がなされ、これに対して平成２９年８月２１日に拒絶査定不服審判が請求されるとともに手続補正がなされ、これに対して平成２９年１０月１８日付けで前置報告がなされたものである。
第２　平成２９年８月２１日付けの手続補正についての補正却下の決定
［補正却下の決定の結論］
　平成２９年８月２１日付けの手続補正（以下、「本件補正」という）を却下する。
［理由］
　１．本件補正の概要
　本件補正は特許請求の範囲の請求項１の補正を含むものであり、本件補正により、特許請求の範囲の請求項１の記載は、
　補正前（平成２８年１２月１日付け手続補正）の
「【請求項１】
Ａ　開閉手段の動作により遊技球が進入可能な可変入球手段を備えた遊技台であって、
Ｂ　前記可変入球手段は、遊技球を検出可能な検出手段が設けられた手段であり、
Ｃ　前記可変入球手段は、遊技球が転動可能な転動領域が設けられた手段であり、
　前記転動領域とは、前記開閉手段を介して前記可変入球手段に進入した遊技球が前記検出手段により検出されるまでに転動する領域のことであり、
Ｄ　前記可変入球手段は、前記転動領域を転動する遊技球の方向を変化させることが可能な方向変化手段が設けられた手段であり、
Ｅ　前記転動領域は、第一の傾斜面が設けられた領域であり、
　前記第一の傾斜面は、前記転動領域において前記方向変化手段よりも上流側に遊技球を誘導可能に構成されており、
Ｆ　前記検出手段は、前記転動領域の下流側において遊技球が左右方向に進入可能となるように設けられた手段である、
ことを特徴とする遊技台。」
から、補正後（本件補正である平成２９年８月２１日付け手続補正）の
「【請求項１】
Ａ　開閉手段の動作により遊技球が進入可能な可変入球手段を備えた遊技台であって、
Ｂ　前記可変入球手段は、遊技球を検出可能な検出手段が設けられた手段であり、
Ｃ　前記可変入球手段は、遊技球が転動可能な転動領域が設けられた手段であり、
　前記転動領域とは、前記開閉手段を介して前記可変入球手段に進入した遊技球が前記検出手段により検出されるまでに転動する領域のことであり、
Ｄ　前記可変入球手段は、前記転動領域を転動する遊技球の方向を変化させることが可能な方向変化手段が設けられた手段であり、
Ｅ’　前記転動領域は、第一の傾斜面が設けられた領域であり、
　前記第一の傾斜面は、前記転動領域において前記方向変化手段よりも上流側に遊技球を誘導可能
であり
Ｆ’　前記検出手段は、前記転動領域の下流側において遊技球が左右方向に進入可能となるように設けられた手段であ
り
Ａ−１　
前記開閉手段は、板状の扉部材であり、
　
前記扉部材の上部には、厚み方向正面側に突出する凸部が設けられている、
ことを特徴とする遊技台。」
へ補正された（記号は分節のため合議体が付した。下線は補正箇所を示す。）。
　２．補正の適否
　（１）補正事項
　本件補正は、補正前の請求項１において、
「
前記開閉手段は、板状の扉部材であり、
前記扉部材の上部には、厚み方向正面側に突出する凸部が設けられている、
という事項を追加する補正である。
　（２）補正の目的について
　本件補正は、「開閉手段」について、その形状を「
板状の扉部材であり
扉部材の上部には、厚み方向正面側に突出する凸部が設けられている
　ところで、上記補正前、すなわち平成２８年１２月１日付け手続補正時、の請求項１について、同日付け意見書の「（２）補正について」の「本願請求項について」には、「本願請求項のベース（前提）になる実施形態は、原出願の明細書の段落「１２５７」〜「１７４０」や図１５７〜図２０４に記載の＜＜実施形態２＞＞（特に、段落「１４３０」〜「１４３４」や図１７８〜図１８０に記載の＜遊技球の転動ルート＞）です。」という記載があり、さらに、上記補正前の請求項１には、遊技球を検出可能な検出手段が設けられ、遊技球が転動可能な転動領域が設けられた可変入球手段に関し、検出手段及び転動領域についての発明特定事項が記載されている。
　そうすると、補正前の請求項１に記載された発明は、遊技球の転動ルートに関し、可変入球手段の検出手段や転動領域についての事項を特定することで、審判請求人が同日付け意見書の「（３）本願が特許されるべき理由について」において、
「本願発明によれば、
「可変入球手段に進入してきた遊技球が転動領域を転動して検出手段を通過するまでにかかる時間をより長くすることができる場合がある。
　また、第一の傾斜面によって遊技球を転動領域の上流側に誘導可能にするとともに、転動領域の下流側に、遊技球が左右方向に進入可能な検出手段を設けているため、可変入球手段に進入してきた遊技球が、下流側の検出手段に一気に集中してしまうようなことがなく、一旦、上流側に誘導した遊技球を下流側の検出手段に円滑に進入させることができ、球詰まりを防止できる場合がある」
　という顕著な効果を得ることができます。」
と主張するような、「可変入球手段に進入してきた遊技球が転動領域を転動して検出手段を通過するまでにかかる時間をより長く」し、かつ「球詰まりを防止する」という課題を解決するためのものである。
　
　一方、補正後の請求項１に記載される発明は、平成２９年８月２１日付け審判請求書の「３．本願発明が特許されるべき理由」の「（２）本願発明について」において、
「このような構成をとることにより、本願発明は、
「可変入球手段に進入してきた遊技球が転動領域を転動して検出手段を通過するまでにかかる時間をより長くすることができる場合がある。
　また、第一の傾斜面によって遊技球を転動領域の上流側に誘導可能にするとともに、転動領域の下流側に、遊技球が左右方向に進入可能な検出手段を設けているため、可変入球手段に進入してきた遊技球が、下流側の検出手段に一気に集中してしまうようなことがなく、一旦、上流側に誘導した遊技球を下流側の検出手段に円滑に進入させることができ、球詰まりを防止できる場合がある。
　
また、開閉手段は、板状の扉部材であり、扉部材の上部には、厚み方向正面側に突出する凸部が設けられているため、扉部材の正面に装飾用のシール等を貼り付ける場合に、位置決めを容易に行うことができる場合がある
と記載されるように、補正前の請求項１に記載された発明と同様に「可変入球手段に進入してきた遊技球が転動領域を転動して検出手段を通過するまでにかかる時間をより長く」し、かつ「球詰まりを防止する」という課題を解決するためのものであることに加えて、「扉部材の正面に装飾用のシール等を貼り付ける場合に、位置決めを容易に行う」という別の課題を解決するためのものである。
　そうすると、補正後の請求項１に記載される発明は、補正前の請求項１に記載された発明と、発明が解決しようとする課題が同一であるということはできず、本件補正は、特許法第１７条の２第５項第２号に規定する特許請求の範囲の減縮（いわゆる限定的減縮）を目的とするものに該当しない。
　また、本件補正は、特許法第１７条の２第５項第１号、第３号、第４号に規定する請求項の削除、誤記の訂正、明りょうでない記載の釈明のいずれにも該当しないことは明らかである。
　以上のことから、本件補正は、特許法第１７条の２第５項の各号に掲げる事項を目的とするものではない。
　（３）小括
　したがって、本件補正は特許法第１７条の２第５項に規定する要件に違反するので、同法第１５９条第１項において読み替えて準用する同法第５３条第１項の規定により却下すべきものである。
　
　３．独立特許要件
　本件補正については、上記２．の補正の適否において示したとおりであるが、仮に、本件補正が特許法第１７条の２第５項第２号に規定する特許請求の範囲の減縮（いわゆる限定的減縮）を目的とするものに該当するとして、本件補正後の請求項１に記載される発明（以下「本件補正発明」という。）が特許出願の際独立して特許を受けることができるものであるか否か（特許法第１７条の２第６項において準用する同法第１２６条第７項の規定に適合するか）について以下に検討する。
　（１）刊行物
　（１−１）刊行物１
　前置報告書において提示された、本願出願遡及日前に日本国内において頒布された刊行物である特開２０１２−１４７８７７号公報（以下、「刊行物１」という）には以下の記載がある。（下線は合議体が審決にて付した。以下、同じ。）
　（ア）　「【０００８】
　前記課題を解決するために、本発明の
請求項１に記載の遊技機は、
　遊技盤面（盤面板２００の前面）に形成される遊技領域（７）に遊技球を発射することにより遊技が行われ、遊技球が入賞しやすい開状態と入賞しないまたは入賞しにくい閉状態とに変化する
可変入賞装置
２３
を備えた遊技機
１
　前記可変入賞装置は、
　該可変入賞装置に進入した遊技球が排出される排出路（排出路７０７）と、
　前記排出路に向けて傾斜した誘導底面（誘導底面７０６ａ）と、
　内部を通過した遊技球を検出するための検出開口（通過孔２３Ｂ）を有する平板状（本体２３Ａ）に形成され、該検出開口を前記誘導底面による誘導方向に向けて設置される検出手段（第１カウントスイッチ２３ａ）と、を有し、
　前記検出手段は、前記誘導底面に対し交差する方向に起立させた状態で、前記誘導底面（誘導底面７０６ａの下流側端縁部７０６ｂ）と前記検出開口（通過孔２３Ｂにおける上流側の開口下端縁２３Ｃ）との間に遊技球の直径寸法（Ｐ）より狭い空隙（空隙Ｌ１２）が生じるように設置される（図３９（ｂ）参照）、
　ことを特徴としている。
・・・
【００１２】
　本発明の手段４に記載の遊技機は、
請求項１
に記載の遊技機であって、
　前記検出手段（第１カウントスイッチ２３ａ）よりも下流側に設けられ、該検出手段により検出された遊技球を検出可能な下流側検出手段（第３入賞確認スイッチ２３ｂ）と、
　前記検出手段から出力された第１の検出信号と前記下流側検出手段から出力された第２の検出信号とにもとづいて、前記可変入賞装置への入賞異常を判定する異常判定手段（遊技制御用マイクロコンピュータ１５６がスイッチ正常／異常チェック処理を行う部分）と、
　前記異常判定手段により入賞異常と判定されたことにもとづいて所定のエラー状態に移行させる移行手段（遊技制御用マイクロコンピュータ１５６がスイッチ正常／異常チェック処理のステップＳ１３９を行う部分）と、を備え、
　
前記可変入賞装置
２３
は、
大当り遊技状態が発生したこと
にもとづいて該可変入賞装置に遊技球が入賞しやすい開放状態と入賞しないまたは入賞しにくい閉止状態とに可動する可動部材（大入賞口扉７０４）
を備え
　前記異常判定手段は、前記検出手段にて検出された遊技球数と前記下流側検出手段にて検出された遊技球数との差が所定の閾値（例えば、１５）を超えたときに前記入賞異常が生じたと判定し（遊技制御用マイクロコンピュータ１５６は、ステップＳ１３８においてスイッチ用カウンタの値が１５以上である場合に、セキュリティ信号上方タイマに２４０秒をセットする）、
　前記駆動制御手段は、所定数の遊技球の入賞にもとづき閉止条件が成立する場合、所定数の遊技球が前記検出手段にて検出されたとき、該所定数の遊技球が前記下流側検出手段にて検出されていなくても前記可動部材を前記閉止状態に駆動する制御を実行する（遊技制御用マイクロコンピュータ１５６は、ラウンド遊技において第１カウントスイッチ２３ａにより８球目の遊技球が検出されたときにソレノイド２１を励磁して大入賞口扉７０４を閉止する、図１１参照）、
　ことを特徴としている。」
　（イ）　「【０２９９】
　（第１特別可変入賞球装置）
　次に、本実施例の第１特別可変入賞球装置の構造について、図面にもとづいて説明する。図３２は、（ａ）は第１特別可変入賞球装置を示す分解斜視図、（ｂ）はベースカバーの裏面を示す斜視図である。図３３は、（ａ）（ｂ）は第１特別可変入賞球装置の内部構造を示す斜視図である。図３４は、第１特別可変入賞球装置を示す分解斜視図である。図３５は、同じく第１特別可変入賞球装置を示す分解斜視図である。図３６は、第１特別可変入賞球装置を示す平面図である。図３７は、（ａ）（ｂ）は大入賞口扉の駆動機構を示す左右側面図である。図３８は、図３６のＪ−Ｊ断面図である。図３９は、（ａ）は第１カウントスイッチを示す図、（ｂ）は図３８の要部拡大段面図である。図４０は、（ａ）は第１カウントスイッチが誘導底面に対し平行に離れた場合、（ｂ）は第１カウントスイッチが誘導底面に対し傾倒して離れた場合を示す説明図である。図４１は、（ａ）は第１カウントスイッチが誘導底面より上方に位置する場合、（ｂ）は第１カウントスイッチが誘導底面より下方に位置する場合を示す説明図である。
【０３００】
　図３２〜図３３に示すように、第１特別
可変入賞球装置２３は、
第１大入賞ユニット７００と、
装飾パネル７０１
と、から構成され
第１大入賞ユニット７００の前面には、
第１大入賞口２３ｃが形成され
【０３０１】
　
第１大入賞ユニット７００は、
ベース本体７０２と、
ベースカバー７０３と、から構成され、
第１大入賞ユニット７００の内部には、第１大入賞口２３ｃを開閉可能とする大入賞口扉７０４を駆動する開閉機構７０５が設けられているとともに
第１大入賞口２３ｃから進入してきた入賞球を誘導する入賞球誘導路７０６が形成され
【０３０２】
　
入賞球誘導路７０６は、ベース本体７０２に、その前面に形成される横長の第１大入賞口２３ｃの右側部から左側部に向けて第１大入賞口２３ｃに沿うように延設され
入賞球誘導路７０６の左側部には、第１カウントスイッチ２３ａが設置される凹溝７２５
が形成され
その左側、つまり下流側には、排出路７０７が後向きに延設され、その後端には排出口７０７ｂが形成されて
【０３０３】
　このように、
第１大入賞口２３ｃに進入した入賞球は、入賞球誘導路７０６、第１カウントスイッチ２３ａ、排出路７０７を流下した後、排出口７０７ｂから第１大入賞ユニット７００の外部に排出され
　（ウ）　「【０３１７】
　次に、入賞球誘導路７０６及び排出路７０７と、これら入賞球誘導路７０６と排出路７０７との間に形成された凹溝７２５に設置される第１カウントスイッチ２３ａと、の詳細に関して、図３８〜図４０にもとづいて説明する。
【０３１８】
　図３８に示すように、第１大入賞口２３ｃに沿って延設される入賞球誘導路７０６は、図３８中左側、つまり排出路７０７に向けて漸次下方に傾斜する傾斜面状に形成され、遊技球を転動により流下させる誘導底面７０６ａを有している。そしてこの誘導底面７０６ａの下流側端部には、凹溝７２５が前後方向、つまり入賞球誘導路７０６を横切る方向に向けて形成され、さらにこの凹溝７２５よりも下流側には、排出路７０７が後方に向けて延設されている。
・・・
【０３２１】
　一方、
第１カウントスイッチ２３ａは、
細長の平板部材からなる本体２３Ａと、本体２３Ａの一端側に形成された遊技球の通過孔２３Ｂと、から構成される近接スイッチであり、通過孔２３Ｂを通過した遊技球を検出可能とされ
【０３２２】
　このように構成された
第１カウントスイッチ２３ａは
本体２３Ａは入賞球誘導路７０６の下流側端部に横切るように
誘導底面７０６ａに対して交差する方向に起立させた起立姿勢で配置され
　また、刊行物１の図面には以下の点について看取できる。すなわち、
　（エ）　刊行物１の図３５には、大入賞口扉７０４を構成する横長平板形状の板部材７０４ａの左側（長手方向で回転軸７０４ｂが露見している側）に、左側・後側（短手方向で回転軸７０４ｂが露見している側）が上方に、右側・前側が下方に向く傾斜面が形成されていることが、また、刊行物１の図３６には、大入賞口扉７０４が開いた状態における大入賞口扉７０４を構成する横長平板形状の板部材７０４ａの左側に、当該傾斜面が形成されていることが、それぞれ看取できる。
　（オ）　刊行物１の図３６には、大入賞口扉７０４が開いた状態における大入賞扉７０４を構成する板部材７０４ａから入賞球誘導路７０６の誘導底面７０６ａを経て、第１カウントスイッチ２３ａ、排出路７０７を通過し、排出口７０７ｂへ向かう矢印が看取できる。
　（カ）　刊行物１の図３６には、入賞球誘導路７０６の背面側に、横長のＬＥＤ基板７１０に３つの大入賞口ＬＥＤ７１０ａが配設され、該背面側のうち、真ん中の大入賞口ＬＥＤ７１０ａの左斜め前の入賞球誘導路７０６には、前方向に対して凸状の部位が形成されていることが看取できる。
　（キ）　（ア）の【０００８】には「
請求項１に記載の遊技機は、
可変入賞装置
２３
を備えた遊技機
１
請求項１
に記載の遊技機であって、
前記可変入賞装置
２３
は、
大当り遊技状態が発生したこと
にもとづいて該可変入賞装置に遊技球が入賞しやすい開放状態と入賞しないまたは入賞しにくい閉止状態とに可動する可動部材（大入賞口扉７０４）
を備え
「可変入賞装置２３を備えた遊技機１」であって、「前記可変入賞装置２３は、大当り遊技状態が発生したことにもとづいて該可変入賞装置に遊技球が入賞しやすい開放状態と入賞しないまたは入賞しにくい閉止状態とに可動する可動部材（大入賞口扉７０４）を備え」ることが記載されているといえる。
　（ク）　（イ）の【０３００】〜【０３０３】には「
可変入賞球装置２３は、
第１大入賞ユニット７００と、
装飾パネル７０１
と、から構成され
第１大入賞ユニット７００の前面には、
第１大入賞口２３ｃが形成され、第１大入賞ユニット７００は、
ベース本体７０２と、
ベースカバー７０３と、から構成され、
第１大入賞ユニット７００の内部には、第１大入賞口２３ｃを開閉可能とする大入賞口扉７０４を駆動する開閉機構７０５が設けられているとともに
第１大入賞口２３ｃから進入してきた入賞球を誘導する入賞球誘導路７０６が形成され
入賞球誘導路７０６は、ベース本体７０２に、その前面に形成される横長の第１大入賞口２３ｃの右側部から左側部に向けて第１大入賞口２３ｃに沿うように延設され
入賞球誘導路７０６の左側部には、第１カウントスイッチ２３ａが設置される凹溝７２５
が形成され
その左側、つまり下流側には、排出路７０７が後向きに延設され、その後端には排出口７０７ｂが形成されて
第１大入賞口２３ｃに進入した入賞球は、入賞球誘導路７０６、第１カウントスイッチ２３ａ、排出路７０７を流下した後、排出口７０７ｂから第１大入賞ユニット７００の外部に排出され
　そうすると、刊行物１には
「可変入賞球装置２３は、第１大入賞ユニット７００と、装飾パネル７０１と、から構成され、第１大入賞ユニット７００の前面には、第１大入賞口２３ｃが形成され、第１大入賞ユニット７００は、ベース本体７０２と、ベースカバー７０３と、から構成され、第１大入賞ユニット７００の内部には、第１大入賞口２３ｃを開閉可能とする大入賞口扉７０４を駆動する開閉機構７０５が設けられているとともに、
第１大入賞口２３ｃから進入してきた入賞球を誘導する入賞球誘導路７０６が形成され、入賞球誘導路７０６は、ベース本体７０２に、その前面に形成される横長の第１大入賞口２３ｃの右側部から左側部に向けて第１大入賞口２３ｃに沿うように延設され、入賞球誘導路７０６の左側部には、第１カウントスイッチ２３ａが設置される凹溝７２５が形成され、その左側、つまり下流側には、排出路７０７が後向きに延設され、その後端には排出口７０７ｂが形成されて、第１大入賞口２３ｃに進入した入賞球は、大入賞口扉７０４が開いた状態における大入賞口扉７０４を構成する板部材７０４ａから入賞球誘導路７０６の誘導底面７０６ａを経て、第１カウントスイッチ２３ａ、排出路７０７を流下した後、排出口７０７ｂから第１大入賞ユニット７００の外部に排出され」ることが記載されているといえる。
　（ケ）　また、（ウ）の【０３２１】〜【０３２２】には「
第１カウントスイッチ２３ａは、
細長の平板部材からなる本体２３Ａと、本体２３Ａの一端側に形成された遊技球の通過孔２３Ｂと、から構成される近接スイッチであり、通過孔２３Ｂを通過した遊技球を検出可能とされ
第１カウントスイッチ２３ａは
本体２３Ａは入賞球誘導路７０６の下流側端部に横切るように
誘導底面７０６ａに対して交差する方向に起立させた起立姿勢で配置され
　（コ）　さらに、（エ）から、刊行物１には、大入賞口扉７０４が開いた状態における大入賞口扉７０４を構成する横長平板形状の板部材７０４ａの左側に、左側・後側が上方に、右側・前側が下方に向く傾斜面が形成されていることが記載されているといえ、（カ）から、刊行物１には、入賞球誘導路７０６の背面側に、横長のＬＥＤ基板７１０に３つの大入賞口ＬＥＤ７１０ａが配設され、該背面側のうち、真ん中の大入賞口ＬＥＤ７１０ａの左斜め前には、前方向に対して凸状の部位が形成されていることが記載されているといえる。
　上記の記載事項（ア）〜（ウ）、図面の記載事項（エ）〜（カ）及び認定事項（キ）〜（コ）から、刊行物１には、
「ａ　可変入賞装置２３を備えた遊技機１であって、前記可変入賞装置２３は、大当り遊技状態が発生したことにもとづいて該可変入賞装置に遊技球が入賞しやすい開放状態と入賞しないまたは入賞しにくい閉止状態とに可動する可動部材（大入賞口扉７０４）を備え、（認定事項（キ））
　可変入賞球装置２３は、第１大入賞ユニット７００と、装飾パネル７０１と、から構成され、第１大入賞ユニット７００の前面には、第１大入賞口２３ｃが形成され、第１大入賞ユニット７００は、ベース本体７０２と、ベースカバー７０３と、から構成され、第１大入賞ユニット７００の内部には、第１大入賞口２３ｃを開閉可能とする大入賞口扉７０４を駆動する開閉機構７０５が設けられているとともに、（認定事項（ク））
　ｃ、ｆ’　第１大入賞口２３ｃから進入してきた入賞球を誘導する入賞球誘導路７０６が形成され、入賞球誘導路７０６は、ベース本体７０２に、その前面に形成される横長の第１大入賞口２３ｃの右側部から左側部に向けて第１大入賞口２３ｃに沿うように延設され、入賞球誘導路７０６の左側部には、第１カウントスイッチ２３ａが設置される凹溝７２５が形成され、その左側、つまり下流側には、排出路７０７が後向きに延設され、その後端には排出口７０７ｂが形成されて、第１大入賞口２３ｃに進入した入賞球は、大入賞口扉７０４が開いた状態における大入賞口扉７０４を構成する板部材７０４ａから入賞球誘導路７０６の誘導底面７０６ａを経て、第１カウントスイッチ２３ａ、排出路７０７を流下した後、排出口７０７ｂから第１大入賞ユニット７００の外部に排出されるものであり、（認定事項（ク））
　ｂ、ｆ’　第１カウントスイッチ２３ａは、細長の平板部材からなる本体２３Ａと、本体２３Ａの一端側に形成された遊技球の通過孔２３Ｂと、から構成される近接スイッチであり、通過孔２３Ｂを通過した遊技球を検出可能とされ、本体２３Ａは入賞球誘導路７０６の下流側端部に横切るように、誘導底面７０６ａに対して交差する方向に起立させた起立姿勢で凹溝７２５に配置され、（認定事項（ケ））
　ａ−１、ｅ’　大入賞口扉７０４が開いた状態における大入賞口扉７０４を構成する横長平板形状の板部材７０４ａの左側に、左側・後側が上方に、右側・前側が下方に向く傾斜面が形成されており、（認定事項（コ）））
　ｄ　入賞球誘導路７０６の背面側に、横長のＬＥＤ基板７１０に３つの大入賞口ＬＥＤ７１０ａが配設され、該背面側のうち、真ん中の大入賞口ＬＥＤ７１０ａの左斜め前には、前方向に対して凸状の部位が形成されている、（認定事項（コ））
遊技機１」
　
という発明（記号ａ〜ｄ、ｅ’、ｆ’、ａ−１は本件補正発明のＡ〜Ｄ、Ｅ’、Ｆ’、Ａ−１に対応させて合議体が付した。以下、「刊行物１発明」という。）が開示されていると認める。
　（１−２）刊行物２
　前置報告書において提示された、本願出願遡及日前に日本国内において頒布された刊行物である特開２００４−３２９４６６号公報（以下、「刊行物２」という）には以下の事項が記載されている。
（ア）　「【０００１】
【発明の属する技術分野】
本発明は、
手前側に開閉する開閉部材を有する可変入賞装置
を備えた遊技機
・・・
【０００４】
そして、図６及び図７に示されるように、
可変入賞装置Ａ’の開閉部材Ｄ’の表面（前面）には、
開閉部材Ｄ’に対するシールＳの貼付けの際の位置合わせを主目的とし、
全周に亘って凹部２６が設けられ、この結果として、開閉部材Ｄ’の周縁部は中央部よりも僅かに高くなって
　上記（ア）の記載から、刊行物２には「手前側に開閉する開閉部材を有する可変入賞装置を備えた遊技機において、可変入賞装置Ａ’の開閉部材Ｄ’の表面（前面）には、開閉部材Ｄ’に対するシールＳの貼付けの際の位置合わせを主目的とし、全周に亘って凹部２６が設けられ、この結果として、開閉部材Ｄ’の周縁部は中央部よりも僅かに高くなっていること」が記載されているものと認められる（以下、「刊行物２記載の事項」という）。
　（２）本件補正発明と刊行物１発明との対比
　
　本件補正発明と刊行物１発明とを対比する。（下記（Ａ）〜（Ｆ’）は本件補正発明の上記分節にあわせて付した。）
　
　（Ａ）　刊行物１発明における「該可変入賞装置に遊技球が入賞しやすい開放状態と入賞しないまたは入賞しにくい閉止状態とに可動する大入賞口扉７０４」を備えた「可変入賞装置２３」について、「大入賞口扉７０４」が可動することで「第１大入賞口２３ｃ」が「開閉可能」となり、「可変入賞装置２３」を構成する「第１大入賞ユニット７００」に形成された「第１大入賞口２３ｃから」「入賞球」が「進入して」くることから、刊行物１発明における「該可変入賞装置に遊技球が入賞しやすい開放状態と入賞しないまたは入賞しにくい閉止状態とに可動する大入賞口扉７０４」は、本件補正発明における「動作により遊技球が進入可能な」「開閉手段」に、刊行物１発明における該「大入賞口扉７０４」を備えた「可変入賞装置２３」及び該「可変入賞装置２３を備えた遊技機１」は、本件補正発明における「開閉手段の動作により遊技球が進入可能な可変入球手段」及び該「可変入球手段を備えた遊技台」に、それぞれ相当する。
　（Ａ−１）　刊行物１発明における「大入賞口扉７０４」を構成する「横長平板形状の板部材７０４ａ」は、「板状の扉部材」であるという点で本件補正発明の「開閉手段」と共通する。
　（Ｂ）　刊行物１発明における「本体２３Ａと、本体２３Ａの一端側に形成された遊技球の通過孔２３Ｂと、から構成される」「第１カウントスイッチ２３ａ」は、「通過孔２３Ｂを通過した遊技球を検出可能」であることから、本件補正発明の「遊技球を検出可能な検出手段」に相当する。また、刊行物１発明において、「第１大入賞口２３ｃに進入した入賞球は、入賞球誘導路７０６、第１カウントスイッチ２３ａ、排出路７０７を流下した後、排出口７０７ｂから第１大入賞ユニット７００の外部に排出される」のであるから、「第１カウントスイッチ２３ａ」は「第１大入賞ユニット７００」の内部に設けられていることは明らかであり、「第１大入賞ユニット７００」を構成要素とする「可変入賞装置２３」に設けられていることも明らかである。
　そうすると、刊行物１発明における「第１カウントスイッチ２３ａ」を設けた「可変入賞装置２３」は、本件補正発明の「遊技球を検出可能な検出手段が設けられた」「可変入球手段」に相当する。
　（Ｃ）　刊行物１発明において、「第１大入賞口２３ｃに進入した入賞球は、大入賞口扉７０４が開いた状態における大入賞口扉７０４を構成する板部材７０４ａから入賞球誘導路７０６の誘導底面７０６ａを経て、第１カウントスイッチ２３ａ、排出路７０７を流下した後、排出口７０７ｂから第１大入賞ユニット７００の外部に排出される」ものであるから、「入賞球」は「可変入賞装置２３」に備えられた「大入賞口扉７０４が開いた状態における大入賞口扉７０４を構成する板部材７０４ａ」や、「可変入賞装置２３」に「形成され」た「入賞球誘導路７０６の誘導底面７０６ａ」、さらには「第１カウントスイッチ２３ａ」を流下することで「第１カウントスイッチ２３ａ」に「検出」されるということができる。
　そうすると、刊行物１発明における「大入賞口扉７０４が開いた状態における大入賞口扉７０４を構成する板部材７０４ａ」を備え、「誘導底面７０６ａ」を含む「入賞球誘導路７０６が形成され」た「可変入賞装置２３」は、本件補正発明の「遊技球が転動可能な転動領域が設けられた」「可変入球手段」であって、「転動領域とは、前記開閉手段を介して前記可変入球手段に進入した遊技球が前記検出手段により検出されるまでに転動する領域」に相当する。
　（Ｄ）　刊行物１発明における「入賞球誘導路７０６の背面側に、横長のＬＥＤ基板７１０に３つの大入賞口ＬＥＤ７１０ａが配設され、該背面側のうち、真ん中の大入賞口ＬＥＤ７１０ａの左斜め前には、前方向に対して凸状の部位が形成されている」ことについて、該「凸状の部位」は「入賞球誘導路７０６」に設けられていることから、入賞球誘導路７０６に進入した入賞球の進行方向を変化させることが可能なことは明らかである。
　そうすると、刊行物１発明における該「凸状の部位」は本件補正発明の「転動領域を転動する遊技球の方向を変化させることが可能な方向変化手段」に相当し、刊行物１発明の「凸状の部位」が「入賞球誘導路７０６の背面側に」設けられた「可変入賞装置２３」は、本件補正発明の「前記転動領域を転動する遊技球の方向を変化させることが可能な方向変化手段が設けられた」「可変入球手段」に相当する。
　（Ｅ’）　刊行物１発明における「大入賞口扉７０４が開いた状態における大入賞口扉７０４を構成する横長平板形状の板部材７０４ａの左側に、左側・後側が上方に、右側・前側が下方に向く傾斜面が形成されて」いることについて、上記（Ｃ）において認定したように、該「板部材７０４ａ」は本件補正発明の「転動領域」の一部に相当するが、該「板部材７０４ａの左側」に「形成されて」いる「傾斜面」は、左側・後側が上方に、右側・前側が下方に向くことから、遊技球を板部材７０４ａや入賞球誘導路７０６の右側、すなわち入賞球が流下する第１カウントスイッチ２３ａや排出路７０７とは反対側である上流側、に誘導することが可能であるということができる。
　そうすると、刊行物１発明における「板部材７０４ａの左側に、左側・後側が上方に、右側・前側が下方に向く傾斜面が形成されて」いる「大入賞口扉７０４が開いた状態における大入賞口扉７０４を構成する横長平板形状の板部材７０４ａ」は、本件補正発明の「第一の傾斜面が設けられた領域」である「転動領域」と、「前記第一の傾斜面は、前記転動領域において上流側に遊技球を誘導可能であ」る点で共通する。
　
　（Ｆ’）　刊行物１発明における、「第１カウントスイッチ２３ａ」の「本体２３Ａは入賞球誘導路７０６の下流側端部に横切るように、誘導底面７０６ａに対して交差する方向に起立させた起立姿勢で凹溝７２５に配置され」、「凹溝７２５」の「左側、つまり下流側には、排出路７０７が後向きに延設され」ていることから、入賞球誘導路７０６の左側を下流側、すなわち進行方向、としたときに、後向きに延設された排出路７０７は、入賞球誘導路７０６の進行方向に対して右向きに延設されているといえる。
　そうすると、刊行物１発明における「第１カウントスイッチ２３ａ」は、入賞球誘導路７０６の下流側において設けられ、該カウントスイッチ２３ａを流下した遊技球は、その後入賞球誘導路７０６の進行方向に対して右側に延設された排出路７０７を流下するものであり、本件補正発明と同様に「遊技球が左右方向に進入可能となるように設けられた」といえる。
　以上のことから、刊行物１発明における該「第１カウントスイッチ２３ａ」は、本件補正発明の「前記転動領域の下流側において遊技球が左右方向に進入可能となるように設けられた」「検出手段」に相当する。
　（Ａ）〜（Ｆ’）から、本件補正発明と刊行物１発明は
「開閉手段の動作により遊技球が進入可能な可変入球手段を備えた遊技台であって、
　前記可変入球手段は、遊技球を検出可能な検出手段が設けられた手段であり、
　前記可変入球手段は、遊技球が転動可能な転動領域が設けられた手段であり、
　前記転動領域とは、前記開閉手段を介して前記可変入球手段に進入した遊技球が前記検出手段により検出されるまでに転動する領域のことであり、
　前記可変入球手段は、前記転動領域を転動する遊技球の方向を変化させることが可能な方向変化手段が設けられた手段であり、
　前記転動領域は、第一の傾斜面が設けられた領域であり、
　前記第一の傾斜面は、前記転動領域において上流側に遊技球を誘導可能であり、
　前記検出手段は、前記転動領域の下流側において遊技球が左右方向に進入可能となるように設けられた手段であり、
　前記開閉手段は、板状の扉部材である、
　遊技台。」
で一致する。
　一方、両者は以下の点で一応相違する。
　（相違点１）
　可変入球手段に遊技球を進入可能とするための動作を行う、板状の扉部材である開閉手段について、本件補正発明は「扉部材の上部には、厚み方向正面側に突出する凸部が設けられている」のに対して、刊行物１発明における板部材７０４ａは、厚み方向正面側がどのような形状で形成されているか不明である点。
　（相違点２）
　転動領域に設けられ、前記転動領域において上流側に遊技球を誘導可能である第一の傾斜面に関して、本件補正発明における「第一の傾斜面」は「転動領域において方向変化手段よりも上流側に遊技球を誘導可能である」のに対して、刊行物１発明の「大入賞口扉７０４が開いた状態における大入賞口扉７０４を構成する横長平板形状の板部材７０４ａの左側に形成された、前側が下方に、後側が上方に傾く傾斜面」は、遊技球を入賞球誘導路７０６の背面側に形成された凸状の部位よりも上流側に遊技球を誘導可能であるかどうかは特定されていない点。
　（３）相違点に対する判断
　相違点１について、刊行物２に記載されているのは、「手前側に開閉する開閉部材を有する可変入賞装置を備えた遊技機において、可変入賞装置Ａ’における開閉部材Ｄ’の表面（前面）には開閉部材Ｄ’に対するシールＳの貼り合わせの際の位置合わせを主目的とし、全周に亘って凹部２６が設けられ、この結果として、開閉部材Ｄ’の周縁部は中央部よりも僅かに高くなって」いることであるが、この記載から、刊行物２記載の開閉部材Ｄ’においては、「開閉部材Ｄ’の表面中央部を基準として、表面上部を含む表面周縁部に凸部が設けられていることで表面中央部より僅かに高くなっている」ということもできる。
　そして、該「開閉部材Ｄ’の表面中央部を基準として、表面上部を含む表面周縁部に凸部が設けられていることで表面中央部より僅かに高くなっている」ことは、本件補正発明の「可変入球手段に遊技球を進入可能とするための動作を行う、板状の扉部材である開閉手段」が「扉部材の上部には、厚み方向正面側に突出する凸部が設けられている」と同じ構成を有するものといえ、さらに、上記刊行物２記載の事項は、「開閉部材Ｄ’に対するシールＳの貼り合わせの際の位置合わせを主目的とし」ており、本件明細書【１４２８】に「このような突出部を形成することで、正面２９４に装飾用のシール等を貼り付ける場合に、位置決めを容易に行うことができる場合がある」と記載されていることから、本件補正発明が「扉部材の上部には、厚み方向正面側に突出する凸部が設けられている」という構成をとることにより得られる効果と同様の効果を奏するものといえる。
　そうすると、刊行物２記載の事項は、上記相違点１に係る本件補正発明の「前記開閉手段は、板状の扉部材であり、前記扉部材の上部には、厚み方向正面側に突出する凸部が設けられている」ことに相当する。
　ここで、上記刊行物１発明と上記刊行物２記載の事項は、いずれも遊技機の可変入賞装置において手前側に開閉する扉として機能する開閉可能な部材であるという点で共通するものであり、刊行物１発明において刊行物２記載の事項を適用するだけの動機付けは存在するといえる。
　したがって、上記刊行物１発明において、上記刊行物２記載の事項を適用することで、上記相違点１に係る本件補正発明の構成をとることは、当業者が適宜なし得たものである。
　また、上記刊行物１発明において上記刊行物２記載の事項を適用することで、本件補正発明と同様に「装飾用のシール等を貼り付ける場合に、位置決めを容易に行うことができる場合がある」という効果を奏することは当業者ならば予測し得た程度のものにすぎない。
　相違点２について、刊行物１発明は「大入賞口扉７０４が開いた状態における大入賞口扉７０４を構成する横長平板形状の板部材７０４ａの左側に、左側・後側が上方に、右側・前側が下方に向く傾斜面が形成されて」いる構成をとることで、遊技球を上流側に誘導することが可能であるが、この構成をとることで、遊技球が下流側に一気に集中せず上流にも転動して長い時間かけて第１カウントスイッチ２３ａや排出路７０７を流下することが可能であることは自明である。そうすると、板部材７０４ａの左側の傾斜面を通過する遊技球が、より長い時間かけて第１カウントスイッチ２３ａや排出路７０７をさらに円滑に流下するために、すなわち、より上流側に遊技球を誘導するために、転動領域において方向変化手段よりも上流側に遊技球を誘導可能な程度にすることは、遊技機において、遊技球を所望の方向に誘導するための慣用手段の適用にすぎない。
　また、本件明細書には、
「【１４３５】
　
本例に係る遊技台
は、開閉手段
の動作により遊技球が進入可能な可変入球手段を備えた遊技台であって、前記可変入球手段は、遊技球を検出可能な検出手段
）が設けられた手段であり、前記可変入球手段は、遊技球が転動可能な転動領域
が設けられた手段であり、前記転動領域とは、前記開閉手段を介して前記可変入球手段に進入した遊技球が前記検出手段により検出されるまでに転動する領域のことであり、前記可変入球手段は、前記転動領域を転動する遊技球の方向を変化させることが可能な方向変化手段
が設けられた手段であり、前記転動領域は、第一の傾斜面が設けられた領域であり、前記第一の傾斜面
を転動する遊技球は、前記転動領域において前記方向変化手段よりも上流に誘導可能に構成されている
【１４３６】
　本例に係る遊技台によれば、
可変入球手段に進入してきた遊技球が転動領域を転動して検出手段を通過するまでにかかる時間をより長くすることができる場合がある
という記載があることから、本件補正発明の第一の傾斜面を「転動領域において方向変化手段よりも上流側に遊技球を誘導可能に構成」したことにより得られる効果は、「可変入球手段に進入してきた遊技球が転動領域を転動して検出手段を通過するまでにかかる時間をより長くすることができる場合がある」というものであり、本件補正発明も、刊行物１発明も、「転動領域に設けられ、前記転動領域において上流側に遊技球を誘導可能である第一の傾斜面」を構成したことにより得られる効果に違いはない。
　したがって、刊行物１発明において、「大入賞口扉７０４が開いた状態における大入賞口扉７０４を構成する横長平板形状の板部材７０４ａの左側に形成された、前側が下方に、後側が上方に傾く傾斜面」について、遊技球を入賞球誘導路７０６の背面側に形成された凸状の部位よりも上流側に遊技球を誘導可能であるようにすることは、進入した遊技球が検出手段を通過するまでの所要時間をどのように設定すべきかという課題を解決するための具体化手段における微差にすぎない程度のものということができ、相違点２は実質的な相違点ではない。
　（４）小括
　以上のとおり、本件補正発明は、上記刊行物１発明及び刊行物２記載の事項に基づき当業者が容易になし得たものということができるから、特許法第２９条第２項の規定により特許出願の際独立して特許を受けることができないものである。
　（５）審判請求人の主張について
　審判請求人は平成２９年８月２１日付け審判請求書の「３．本願発明が特許されるべき理由」の「（２）本願発明について」において、本件補正発明と先願発明との対比において、以下の主張を行っている。
「＜本願発明の説明＞ 
　補正後の新請求項１に係る発明（本願発明）の特徴点は、
「開閉手段の動作により遊技球が進入可能な可変入球手段を備えた遊技台であって、
　前記可変入球手段は、遊技球を検出可能な検出手段が設けられた手段であり、
　前記可変入球手段は、遊技球が転動可能な転動領域が設けられた手段であり、
　前記転動領域とは、前記開閉手段を介して前記可変入球手段に進入した遊技球が前記検出手段により検出されるまでに転動する領域のことであり、
　前記可変入球手段は、前記転動領域を転動する遊技球の方向を変化させることが可能な方向変化手段が設けられた手段であり、
　前記転動領域は、第一の傾斜面が設けられた領域であり、
　前記第一の傾斜面は、前記転動領域において前記方向変化手段よりも上流側に遊技球を誘導可能
であり、
　前記検出手段は、前記転動領域の下流側において遊技球が左右方向に進入可能となるように設けられた手段であり、
　
前記開閉手段は、板状の扉部材であり、
　
前記扉部材の上部には、厚み方向正面側に突出する凸部が設けられている
　このような構成により、本願発明は、
「可変入球手段に進入してきた遊技球が転動領域を転動して検出手段を通過するまでにかかる時間をより長くすることができる場合がある。
　また、第一の傾斜面によって遊技球を転動領域の上流側に誘導可能にするとともに、転動領域の下流側に、遊技球が左右方向に進入可能な検出手段を設けているため、可変入球手段に進入してきた遊技球が、下流側の検出手段に一気に集中してしまうようなことがなく、一旦、上流側に誘導した遊技球を下流側の検出手段に円滑に進入させることができ、球詰まりを防止できる場合がある。
　
また、開閉手段は、板状の扉部材であり、扉部材の上部には、厚み方向正面側に突出する凸部が設けられているため、扉部材の正面に装飾用のシール等を貼り付ける場合に、位置決めを容易に行うことができる場合がある
　といった顕著な効果を有します。 
　本願発明は、先願１や従来技術からは把握することのできない構成、顕著な効果を有し、
先願１に係る発明と実質同一の範囲を超えることになった
　しかしながら、上記「（３）相違点に対する判断」において示した通り、上記刊行物１発明において、上記刊行物２記載の事項を適用することで、上記相違点１に係る本件補正発明の「
前記開閉手段は、板状の扉部材であり、前記扉部材の上部には、厚み方向正面側に突出する凸部が設けられている
　したがって、審判請求人の主張は採用できない。
　（６）独立特許要件に関するむすび
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。
 第３　本願発明について
　１．本願発明
　本件補正は上記のとおり却下されたので、本願の請求項１−９に係る発明は、平成２８年１２月１日付けの手続補正書により補正された、特許請求の範囲の請求項１−９に記載された事項により特定されるところ、その請求項１に係る発明（以下、「本願発明」という）は、上記第２の１．において記載した次のとおりのものである。
「【請求項１】
Ａ　開閉手段の動作により遊技球が進入可能な可変入球手段を備えた遊技台であって、
Ｂ　前記可変入球手段は、遊技球を検出可能な検出手段が設けられた手段であり、
Ｃ　前記可変入球手段は、遊技球が転動可能な転動領域が設けられた手段であり、
　前記転動領域とは、前記開閉手段を介して前記可変入球手段に進入した遊技球が前記検出手段により検出されるまでに転動する領域のことであり、
Ｄ　前記可変入球手段は、前記転動領域を転動する遊技球の方向を変化させることが可能な方向変化手段が設けられた手段であり、
Ｅ　前記転動領域は、第一の傾斜面が設けられた領域であり、
　前記第一の傾斜面は、前記転動領域において前記方向変化手段よりも上流側に遊技球を誘導可能に構成されており、
Ｆ　前記検出手段は、前記転動領域の下流側において遊技球が左右方向に進入可能となるように設けられた手段である、
ことを特徴とする遊技台。」
　２．拒絶理由通知の概要
　原査定の拒絶の理由である、平成２８年９月３０日付け拒絶理由通知は、本願請求項１−９に係る発明は、特許法第２９条の２の規定により特許を受けることができないというものである。
　３．先願明細書等
　原査定の拒絶の理由において提示された、本願出願遡及日前に出願された特願２０１２−０８０２２６号（特開２０１３−２０８２５６号公報参照）の願書に最初に添付した明細書、特許請求の範囲又は図面（以下、「先願明細書等」という。）には以下の記載がある。（下線は合議体が審決にて付した。以下、同じ。）
　
　（ア）　「【０００８】
　本発明は、
（１）
遊技盤の遊技領域に設けられたセンター役物
の下方であって前記遊技領域の左右方向中央よりも右側に入賞装置が設けられた遊技機であって、前記入賞装置は、前記遊技球が入賞可能な入賞口と、前記入賞口の左右方向中央よりも左奥側に形成された排出口と、前記入賞口から排出口に向けて順次幅が狭くなるように形成され、前記入賞口に入賞した遊技球を排出するための排出経路と、を有する
（２）
前記入賞口に前記遊技球を入賞しやすくする開位置と、前記遊技球を入賞させないようにする閉位置との間で開閉可能な開閉部材を備え、前記開閉部材は、該開閉部材が開位置に位置する時に前記遊技球が転動する転動面を有し、前記転動面上には、前記排出経路に向けて前記遊技球を案内する案内路が形成されている
（３）
前記転動面には、前記排出経路に向けて前記案内路の幅が順次狭くなるようにリブが形成されて
遊技機
（４）前記入賞口の奥側であって前記排出経路と隣接する位置に配置され、前記開閉部材を開閉駆動するプランジャを左右方向に移動させて前記開閉部材を開閉駆動する駆動手段を備えたことを特徴とする上記（２）又は（３）記載の遊技機；
（５）前記排出経路は、前記入賞口から前記排出口に向けて下り傾斜していることを特徴とする上記（１）〜（４）のいずれかに記載の遊技機；
を要旨とする。」
　（イ）　「【００１３】
　本実施の形態に係る遊技機１の外観構成を図１に基づいて説明する。
遊技機１は、
外枠２を備え
外枠２の開口前面側には、
中枠３が
組み付けられ
中枠３は、
内部に遊技盤１２
取り付けることができるように構成され
・・・
【００１６】
  
遊技領域１６は、
遊技盤１２
に形成され
【００１７】
　
遊技領域１６には、センター役物１７
大入賞装置２０
が設けられ
・・・
【００２１】
　
大入賞装置２０は、
センター役物１７の下方であって遊技領域１６の左右方向中央よりも右側に設けられた第２大入賞装置２２とから構成され
　（ウ）　「【００２２】
・・・図３に示すように、
第２大入賞装置２２は、
開閉部材３３が配置され
開閉部材３３は、大入賞口３４を開閉するためのもので、通常は
大入賞口３４を閉じて遊技球を入賞させないようにする閉位置に位置し
遊技機１が大当たり状態となって大入賞口３４を開放する場合には、
大入賞口３４を開いて遊技球を入賞しやすくする開位置に移動するように構成され
・・・
　（エ）　「【００２６】
　また、下ケース部材３６は、
大入賞口３４の奥側であって、該大入賞口３４の左右方向中央よりも左側に排出口５１が形成され
【００２７】
　また、下ケース部材３６には、
大入賞口３４から排出口５１に向けて排出経路５２が形成され
大入賞口３４の左側から入賞した遊技球を第１壁部５３が排出口５１に向けて排出経路５２を案内し、大入賞口３４の右側から入賞した遊技球を第２壁部５４が排出口５１に向けて排出経路５２を案内するように構成され
【００２８】
　図５に示すように、
第２壁部５４は、大入賞口３４の右側から排出口５１の右側に向けて立設するように形成され
、排出経路５２は、大入賞口３４から排出口５１に向けて順次幅が狭くなるように形成され
第２壁部５４の傾斜角が複数個所において異なるように形成され
　（オ）　「【００３７】
　開閉部材３３は、大入賞口３４を開閉するためのものである。この
開閉部材３３は
奥側の面が転動面７５となるように形成され
・・・
【００３９】
　
転動面７５は、開閉部材３３が開位置に位置する時に、遊技領域１６を流下する遊技球が転動して大入賞口３４に入賞しやすくするためのもので、
転動面７５上には案内路７７が形成され
案内路７７は、転動面７５上を転動する遊技球を大入賞口３４や排出経路５２へ向けて案内するためのものであ
第１リブ７８は、転動面７５の左側において、転動面７５よりも高さ方向の位置が高くなるように形成され
第１リブ７８は、転動面７５の先端７５ａから基端７５ｂに向けて、転動面７５に対する高さが順次高くなるように形成され
第２リブ７９は、転動面７５の先端７５ａから基端７５ｂへ行くにつれて、順次左方向へ延出し、
・・・
【００４２】
　本実施の形態に係る遊技機１によれば、図８に示すように、開閉部材３３に転動面７５を形成しておき、大入賞口３４を開く位置に開閉部材３３が位置している場合には、遊技球は転動面７５上を転動しながら大入賞口３４に入賞する。このとき、開閉部材３３の転動面７５上には案内路７７が形成されており、案内路７７には、第１リブ７８と第２リブ７９とが形成されている。ここで、
第２リブ７９は、転動面７５の右側において、転動面７５の前側から後側へ行くにつれて順次左方向へ延出するように形成されているので、遊技領域１６を流下して転動面７５上に落下する遊技球の方向を滑らかに
Ｓ方向やＴ方向へ変えることができる
　（カ）　（イ）の【００１３】、【００１６】、【００１７】、【００２１】には「
遊技機１は、
外枠２を備え
外枠２の開口前面側には、
中枠３が
組み付けられ
中枠３は、
内部に遊技盤１２
取り付けることができるように構成され
遊技領域１６は、
遊技盤１２
に形成され
遊技領域１６には、センター役物１７
大入賞装置２０
が設けられ
大入賞装置２０は、
センター役物１７の下方であって遊技領域１６の左右方向中央よりも右側に設けられた第２大入賞装置２２とから構成され
　そして、この記載と（ア）の「
遊技盤の遊技領域に設けられたセンター役物
の下方であって前記遊技領域の左右方向中央よりも右側に入賞装置が設けられた遊技機
「遊技盤１２の遊技領域１６に設けられたセンター役物１７の下方であって、前記遊技領域１６の左右方向中央よりも右側に第２大入賞装置２２が設けられた遊技機１」
が記載されているといえる。
　（キ）　（ウ）には「
第２大入賞装置２２は、
開閉部材３３が配置され
開閉部材３３は、大入賞口３４を開閉するためのもので、通常は
大入賞口３４を閉じて遊技球を入賞させないようにする閉位置に位置し
遊技機１が大当たり状態となって大入賞口３４を開放する場合には、
大入賞口３４を開いて遊技球を入賞しやすくする開位置に移動するように構成され
　そして、この記載と（ア）の「
前記入賞装置は、前記遊技球が入賞可能な入賞口
を有する
前記入賞口に前記遊技球を入賞しやすくする開位置と、前記遊技球を入賞させないようにする閉位置との間で開閉可能な開閉部材を備え
「前記第２大入賞装置２２は遊技球が入賞可能な大入賞口３４を有し、前記第２大入賞装置２２に遊技球を入賞しやすくする開位置と、前記遊技球を入賞させないようにする閉位置との間で開閉可能な開閉部材３３を備え」
ることが記載されているといえる。
　（ク）　（エ）の【００２６】には「
大入賞口３４の奥側であって、該大入賞口３４の左右方向中央よりも左側に排出口５１が形成され
大入賞口３４から排出口５１に向けて排出経路５２が形成され
大入賞口３４の左側から入賞した遊技球を第１壁部５３が排出口５１に向けて排出経路５２を案内し、大入賞口３４の右側から入賞した遊技球を第２壁部５４が排出口５１に向けて排出経路５２を案内するように構成され
第２壁部５４は、大入賞口３４の右側から排出口５１の右側に向けて立設するように形成され
、排出経路５２は、大入賞口３４から排出口５１に向けて順次幅が狭くなるように形成され
第２壁部５４の傾斜角が複数個所において異なるように形成され
「大入賞口３４の奥側であって、該大入賞口３４の左右方向中央よりも左側に排出口５１が形成され、
大入賞口３４から排出口５１に向けて排出経路５２が形成され、
大入賞口３４の左側から入賞した遊技球を第１壁部５３が排出口５１に向けて排出経路５２を案内し、大入賞口３４の右側から入賞した遊技球を第２壁部５４が排出口５１に向けて排出経路５２を案内するように構成され、第２壁部５４は、大入賞口３４の右側から排出口５１の右側に向けて立設するように形成され、排出経路５２は、大入賞口３４から排出口５１に向けて順次幅が狭くなるように形成され、第２壁部５４の傾斜角が複数個所において異なるように形成され」
ることが記載されているといえる。
　（ケ）　（オ）の【００３７】には「
開閉部材３３は
奥側の面が転動面７５となるように形成され
転動面７５は、開閉部材３３が開位置に位置する時に、遊技領域１６を流下する遊技球が転動して大入賞口３４に入賞しやすくするためのもので、
転動面７５上には案内路７７が形成され
案内路７７は、転動面７５上を転動する遊技球を大入賞口３４や排出経路５２へ向けて案内するためのものであ
第１リブ７８は、転動面７５の左側において、転動面７５よりも高さ方向の位置が高くなるように形成され
第１リブ７８は、転動面７５の先端７５ａから基端７５ｂに向けて、転動面７５に対する高さが順次高くなるように形成され
「開閉部材３３は、奥側の面が転動面７５となるように形成され、転動面７５は、開閉部材３３が開位置に位置する時に、遊技領域１６を流下する遊技球が転動して大入賞口３４に入賞しやすくするためのもので、転動面７５上には案内路７７が形成され、案内路７７は、転動面７５上を転動する遊技球を大入賞口３４や排出経路５２へ向けて案内するためのものであり、第１リブ７８は、転動面７５の左側において、転動面７５よりも高さ方向の位置が高くなるように形成され、第１リブ７８は、転動面７５の先端７５ａから基端７５ｂに向けて、転動面７５に対する高さが順次高くなるように形成され」ていることが記載されているといえる。
　
　（コ）　（オ）の【００３９】には「
第２リブ７９は、転動面７５の先端７５ａから基端７５ｂへ行くにつれて、順次左方向へ延出し、
第２リブ７９は、転動面７５の右側において、転動面７５の前側から後側へ行くにつれて順次左方向へ延出するように形成されているので、遊技領域１６を流下して転動面７５上に落下する遊技球の方向を滑らかに
Ｓ方向やＴ方向へ変えることができる
　ここで、第２リブ７９が左方向へ延出するよう形成されているので、転動面７５上の案内路７７に落下する遊技球の方向を左に変えていることは明らかであるが、これが排出経路５２の排出口５１方向であることから、第２リブ７９は遊技球を排出経路５２の下流方向へ変えるものといえる。
　そうすると、第１リブ７８が順次右方向へ延出するよう形成されているということは、第２リブ７９とは反対に、遊技球を右方向に変えるものであり、遊技球を排出経路５２の上流方向へ変えるものということができる。
　以上のことから、先願明細書等には、
「第１リブ７８が順次右方向へ延出するよう形成されており、遊技球を排出経路５２の上流方向へ変えるものである」
ことが記載されているものといえる。
　上記（ア）〜（オ）の記載事項、及び上記（カ）〜（コ）の認定事項から、先願明細書等には、
「遊技盤１２の遊技領域１６に設けられたセンター役物１７の下方であって、前記遊技領域１６の左右方向中央よりも右側に第２大入賞装置２２が設けられた遊技機１において、（認定事項（カ）））
　前記第２大入賞装置２２は遊技球が入賞可能な大入賞口３４を有し、前記第２大入賞装置２２に遊技球を入賞しやすくする開位置と、前記遊技球を入賞させないようにする閉位置との間で開閉可能な開閉部材３３を備え、（認定事項（キ））
　大入賞口３４の奥側であって、該大入賞口３４の左右方向中央よりも左側に排出口５１が形成され、
　大入賞口３４から排出口５１に向けて排出経路５２が形成され、
　大入賞口３４の左側から入賞した遊技球を第１壁部５３が排出口５１に向けて排出経路５２を案内し、大入賞口３４の右側から入賞した遊技球を第２壁部５４が排出口５１に向けて排出経路５２を案内するように構成され、
　第２壁部５４は、大入賞口３４の右側から排出口５１の右側に向けて立設するように形成され、排出経路５２は、大入賞口３４から排出口５１に向けて順次幅が狭くなるように形成され、第２壁部５４の傾斜角が複数個所において異なるように形成され、（認定事項（ク））
　開閉部材３３は、奥側の面が転動面７５となるように形成され、転動面７５は、開閉部材３３が開位置に位置する時に、遊技領域１６を流下する遊技球が転動して大入賞口３４に入賞しやすくするためのもので、転動面７５上には案内路７７が形成され、案内路７７は、転動面７５上を転動する遊技球を大入賞口３４や排出経路５２へ向けて案内するためのものであり、第１リブ７８は、転動面７５の左側において、転動面７５よりも高さ方向の位置が高くなるように形成され、第１リブ７８は、転動面７５の先端７５ａから基端７５ｂに向けて、転動面７５に対する高さが順次高くなるように形成され、（認定事項（ケ））
　第１リブ７８が順次右方向へ延出するよう形成されており、遊技球を排出経路５２の上流方向へ変えるものである、（認定事項（コ））
　遊技機１」
という発明（以下、「先願発明」という）が記載されているものと認められる。
　４．本願発明と先願発明との対比
　本願発明と先願発明とを対比する。（下記（Ａ）、（Ｃ）〜（Ｅ）は本願発明の上記分節にあわせて付した。）
　（Ａ）　先願発明における「遊技球が入賞可能な大入賞口３４を有し、前記第２大入賞装置２２に遊技球を入賞しやすくする開位置と、前記遊技球を入賞させないようにする閉位置との間で開閉可能な開閉部材３３」は、本願発明における「動作により遊技球が進入可能な」「開閉手段」に、先願発明における該「開閉部材３３を備え」た「第２大入賞装置２２」及び該「第２大入賞装置２２が設けられた遊技機１」は、本願発明の「開閉手段の動作により遊技球が進入可能な可変入球手段」及び該「可変入球装置を備えた遊技台」に、それぞれ相当する。
　（Ｃ）　先願発明における「開閉部材３３」の「奥側の面」に形成された「転動面７５上に」「形成され」た「案内路７７」、及び「大入賞口３４から排出口５１に向けて」「形成され」た「排出経路５２」は、遊技球を転動させて大入賞口３４から排出口５１に向けて案内するための領域ということができる。
　そうすると、先願発明における「案内路７７」、及び「排出経路５２」を有する「第２大入賞装置２２」は、本願発明の「遊技球が転動可能な転動領域が設けられた」「可変入球手段」に相当し、「前記転動領域」は「前記開閉手段を介して前記可変入球手段に進入した遊技球が転動する領域」である点で共通する。
　（Ｄ）　先願発明における「大入賞口３４の右側から入賞した遊技球を」「排出口５１に向けて排出経路５２を案内するように構成され」た「第２壁部５４」は、「大入賞口３４の右側から排出口５１の右側に向けて立設するように形成され」「第２壁部５４の傾斜角が複数個所において異なるように形成され」ていることから、大入賞口３４の右側から入賞した遊技球は、排出口５１に向けて排出経路５２を案内される際に、第２壁部５４の複数箇所において異なるように形成された傾斜角によって、その方向を変化させることが可能であるということができるから、先願発明における「傾斜角が複数個所において異なるように形成」された「第２壁部５４」は、本願発明における「転動領域を転動する遊技球の方向を変化させることが可能な方向変化手段」に相当する。
　そして、先願発明における上記「第２壁部５４」を備えた「第２大入賞装置２２」は、本願発明における「前記転動領域を転動する遊技球の方向を変化させることが可能な方向変化手段が設けられた」「可変入球手段」に相当する。
　（Ｅ）　先願発明における「第１リブ７８」は、「転動面７５の左側において、転動面７５よりも高さ方向の位置が高くなるように形成され、第１リブ７８は、転動面７５の先端７５ａから基端７５ｂに向けて、転動面７５に対する高さが順次高くなるように形成され」ており、かつ「順次右方向へ延出するよう形成されており、遊技球を排出経路５２の上流方向へ変える」ことから、本願発明における「第一の傾斜面」と、「前記転動領域において上流側に遊技球を誘導可能に構成されている」で共通する。
　また、先願発明における該「第１リブ７８」が形成された「転動面７５」は、本願発明における該「第一の傾斜面」が設けられた領域である「前記転動領域」に相当する。
　（Ａ）、（Ｃ）〜（Ｅ）より、本願発明と先願発明は、
「開閉手段の動作により遊技球が進入可能な可変入球手段を備えた遊技台であって、
　前記可変入球手段は、遊技球が転動可能な転動領域が設けられた手段であり、
　前記転動領域とは、前記開閉手段を介して前記可変入球手段に進入した遊技球が転動する領域のことであり、
　前記可変入球手段は、前記転動領域を転動する遊技球の方向を変化させることが可能な方向変化手段が設けられた手段であり、
　前記転動領域は、第一の傾斜面が設けられた領域であり、
　前記第一の傾斜面は、前記転動領域において上流側に遊技球を誘導可能に構成されている、
　遊技台。」
という点で一致する。
　一方、両者は以下の点で一応相違する。
　（相違点１）
　転動領域に設けられ、前記転動領域において上流側に遊技球を誘導可能である第一の傾斜面に関して、本願発明における「第一の傾斜面」は「転動領域において方向変化手段よりも上流側に遊技球を誘導可能である」のに対して、先願発明の「転動面７５の先端７５ａから基端７５ｂに向けて、転動面７５に対する高さが順次高くなるように」「転動面７５の左側において」「形成された」「第１リブ７８」は、遊技球を、排出経路５２のうち、第２壁部５４の傾斜角が異なるように形成された場所よりも上流側に遊技球を誘導可能であるかどうかは特定されていない点。（上記の対比（Ｅ）より）
　（相違点２）
　本願発明は、「可変入球手段に」、「遊技球を検出可能な」「前記転動領域の下流側において遊技球が左右方向に進入可能となるように設けられた手段である」「検出手段」を設けたのに対して、先願発明はそのような特定がなされていない点。（本願発明の（Ｂ）（Ｆ））
　（相違点３）
　開閉手段を介して可変入球手段に進入した遊技球が転動する領域である転動領域について、本願発明は「前記検出手段により検出されるまでに転動する領域」であるのに対して、先願発明は「転動面７５上に形成された案内路７７」及び「大入賞口３４から排出口５１に向けて順次幅が狭くなるように形成ている排出経路５２」である点。（上記の対比（Ｃ）より）
　５．相違点に対する判断
　上記相違点について検討する。
　相違点１について、上記「第２　平成２９年８月２１日付けの手続補正についての補正却下の決定」の「３．独立特許要件」における「（３）相違点に対する判断」での相違点２についての判断と同様に、先願発明は「第１リブ７８が順次右方向へ延出するよう形成されており、遊技球を排出経路５２の上流方向へ変えるものである」構成をとることで、遊技球を上流側に誘導することが可能である、すなわち、この構成をとることで、遊技球が長い時間かけて排出経路５２を移動することが可能であることは自明である。そうすると、案内路７７の左側に形成された第１リブ７８を通過しようとする遊技球が、より長い時間かけて移動するように、できるだけ上流側に遊技球を誘導するにあたり、案内路７７において第２壁部５４の傾斜角が異なるように形成された場所よりも上流側に遊技球を誘導可能な程度にすることは、遊技機において、遊技球を所望の方向に誘導するための慣用手段の適用にすぎない。
　また、上記「（３）相違点に対する判断」における相違点２についての判断と同様に、本願発明の第一の傾斜面を「転動領域において方向変化手段よりも上流側に遊技球を誘導可能に構成」したことにより得られる効果は、「可変入球手段に進入してきた遊技球が転動領域を転動して検出手段を通過するまでにかかる時間をより長くすることができる場合がある」というものであって、本願発明も、先願発明も、「転動領域に設けられ、前記転動領域において上流側に遊技球を誘導可能である第一の傾斜面」を構成したことにより得られる効果に違いはない。
　したがって、先願発明において、「転動面７５の左側において」「転動面７５の先端７５ａから基端７５ｂに向けて、転動面７５に対する高さが順次高くなるように形成され」た「第１リブ７８」を、遊技球を、排出経路５２のうち、第２壁部５４の傾斜角が異なるように形成された場所よりも上流側に遊技球を誘導可能であるようにすることは、進入した遊技球が検出手段を通過するまでの所要時間をどのように設定すべきかという課題を解決するための具体化手段における微差にすぎない程度のものということができ、相違点１は実質的な相違点ではない。
　相違点２について、「遊技球を検出可能な検出手段」を、「転動領域の下流側において遊技球が左右方向に進入可能となるように」「可変入球手段に」設けることは、可変入球手段における周知慣用の技術にすぎない（例えば、上記「第２　平成２９年８月２１日付けの手続補正についての補正却下の決定」の「３．独立特許要件」における「（１−１）刊行物１」である特開２０１２−１４７８７７号公報では、「（２）本件補正発明と刊行物１発明との対比」における（Ｆ’）において認定したように、「第１カウントスイッチ２３ａ」が入賞球誘導路７０６の下流側において設けられ、該カウントスイッチ２３ａを流下した遊技球は、その後入賞球誘導路７０６の進行方向に対して右側に延設された排出路７０７を流下するものが開示されており、遊技球が左右方向に進入可能となるように設けられたといえる。
　また、特開２０１１−９２３０１号公報の【０１６７】〜【０１６８】には「また、図２７に示すように、大入賞口ユニット６５０は、仕切り壁６５６の延びる方向・・・と略直交に交差する方向Ｙに延びる内壁部６５７と、内壁部６５７を利用して形成されている送球路６５８と、を備えている。・・・仕切り壁６５６と内壁部６５７との間に、大入賞口スイッチ２１５が位置している。そして、大入賞口スイッチ２１５は、仕切り壁６５６と交差する方向Ｙに延びている。このため、仕切り壁６５６に沿って大入賞口スイッチ２１５の方向に進行する遊技球は、その進行方向を変更することなく大入賞口スイッチ２１５により入賞検出される。大入賞口スイッチ２１５により入賞検出された遊技球は、内壁部６５７にぶつかって進行方向を変え、送球路６５８を下流に向けて進行する。すなわち、遊技球は、内壁部６５７にぶつかると、その進行方向を、送球路６５８に沿って方向Ｙの奥側向きに変え」と記載されており、大入賞口スイッチ２１５の方向に進行する遊技球は、大入賞口スイッチ２１５により入賞検出され、内壁部６５７にぶつかると、進行方向を略直交に交差する方向に変えるといえる、すなわち、遊技球が大入賞口スイッチ２１５に向かう方向を下流方向とすると、大入賞口スイッチ２１５により検出された遊技球は、遊技球が左右方向に進入するといえる。）。
　そうすると、先願発明において、「遊技球を検出可能な検出手段」を、本願発明のように「前記転動領域の下流側において遊技球が左右方向に進入可能となるように設けられた手段である」ように構成することは、検出手段を可変入賞装置の中でどの位置に配置するかについての具体化手段における微差にすぎず、かつ当該構成をとることにより得られる効果は「球詰まりを防止できる」というものにすぎず、先願明細書【０００７】に記載されている、先願発明の「本発明は・・・入賞装置における遊技球の排出をスムーズに行う」という課題から見て新たな効果を奏するものでもない。
　したがって、上記相違点２もまた課題解決のための具体化手段における微差にすぎず、実質的な相違点ではない。
　
　また、相違点３について、開閉手段を介して可変入球手段に進入した遊技球が転動する領域である転動領域について、先願発明では「転動面７５上に形成された案内路７７」及び「大入賞口３４から排出口５１に向けて順次幅が狭くなるように形成ている排出経路５２」が転動領域であるところ、それ以後も遊技球は転動をし続け、遊技球を検出するための検出手段が設けられた部分に至ることから、遊技球が検出されるまでに転動する領域も含めて当然に転動領域であるということができ、上記相違点３も実質的な相違点ではない。
　以上のことから、本願発明は、先願発明と実質的に同一の発明であるといえる。
　６．審判請求人の主張について
　審判請求人は平成２８年１２月１日付け意見書の「（３）本願が特許されるべき理由について」において以下のように主張している。
「＜本願発明＞
　本願の請求項１に係る発明（本願発明）の特徴点は、
「（Ａ）開閉手段の動作により遊技球が進入可能な可変入球手段を備えた遊技台であって、
　（Ｂ）前記可変入球手段は、遊技球を検出可能な検出手段が設けられた手段であり、
　（Ｃ）前記可変入球手段は、遊技球が転動可能な転動領域が設けられた手段であり、
　（Ｄ）前記転動領域とは、前記開閉手段を介して前記可変入球手段に進入した遊技球が前記検出手段により検出されるまでに転動する領域のことであり、
　（Ｅ）前記可変入球手段は、前記転動領域を転動する遊技球の方向を変化させることが可能な方向変化手段が設けられた手段であり、
　（Ｆ）前記転動領域は、第一の傾斜面が設けられた領域であり、
　（Ｇ）前記第一の傾斜
面は、
側
遊技球を
おり
　
（Ｈ）前記検出手段は、前記転動領域の下流側において遊技球が左右方向に進入可能となるように設けられた手段である
　ことです。
　本願発明によれば、
「可変入球手段に進入してきた遊技球が転動領域を転動して検出手段を通過するまでにかかる時間をより長くすることができる場合がある。
　また、第一の傾斜面によって遊技球を転動領域の上流側に誘導可能にするとともに、転動領域の下流側に、遊技球が左右方向に進入可能な検出手段を設けているため、可変入球手段に進入してきた遊技球が、下流側の検出手段に一気に集中してしまうようなことがなく、一旦、上流側に誘導した遊技球を下流側の検出手段に円滑に進入させることができ、球詰まりを防止できる場合がある」
　という顕著な効果を得ることができます。
　＜本願発明と引用発明の対比＞
・・・本願の出願人は、旧請求項１の内容に、先願１には記載や示唆の無い発明特定事項（Ｈ）を追加する補正を行いました。この発明特定事項（Ｈ）や、発明特定事項（Ｇ）等によって特定される技術思想は、「第一の傾斜面によって遊技球を転動領域の上流側に誘導可能にするとともに、転動領域の下流側に、遊技球が左右方向に進入可能な検出手段を設ける」といった技術思想であり、本願発明特有のものです。
　本願発明は、このような特有の技術思想を備えることから、「可変入球手段に進入してきた遊技球が、下流側の検出手段に一気に集中してしまうようなことがなく、一旦、上流側に誘導した遊技球を下流側の検出手段に円滑に進入させることができ、球詰まりを防止できる場合がある」といった、先願１に記載の発明からは得ることができない顕著な効果を有します。
　先願１には、本願発明に係る「第一の傾斜面」を示唆する記載があると認められますが、本願発明に係る「検出手段」はもとより、「検出手段が、転動領域の下流側において遊技球が左右方向に進入可能となるように設けられた手段である」といった記載や示唆は一切ありません。」
　当該主張について検討するに、上記「５．相違点に対する判断」において示したように、遊技台の可変入球手段において、遊技球を検出可能な検出手段を、転動領域の下流側において遊技球が左右方向に進入可能となるように設けることは、遊技台において周知慣用技術にすぎない。
　さらに、「可変入球手段に進入してきた遊技球が、下流側の検出手段に一気に集中してしまうようなことがなく、一旦、上流側に誘導した遊技球を下流側の検出手段に円滑に進入させることができ、球詰まりを防止できる場合がある」という効果は、遊技球が検出手段により検出されるまでの可変入球手段に設けられた転動領域の構成である、本願発明の構成Ｃ、Ｄ、Ｅによって既に奏するものであり、上記の周知慣用技術を適用することによって得られる効果は、上記効果の範囲において想定しうる程度のものにすぎず、格別に新たな効果を奏するものとはいえない。
　そして、上記「４．本願発明と先願発明との対比」において示したとおり、本願発明の構成Ｃ、Ｄ、Ｅに相当する構成は、先願発明においても備えられているか、そうでなくても先願発明との実質的な相違点にかかる構成ではないことから、本願発明が先願発明と比して格別に新たな効果を奏するものということはできない。
　以上のとおりであるから、審判請求人の主張は採用できない。
　７．むすび 
　以上のとおり、本願発明は、先願発明と実質的に同一の発明であり、しかも、本願発明の発明者が先願発明の発明者と同一であるとはいえず、また、本願の出願遡及日時点において、その出願人が先願発明の出願人と同一であるともいえないので、特許法第２９条の２の規定により特許を受けることができない。
　したがって、その余の請求項について検討するまでもなく、本願は拒絶されるべきものである。